(57)【要約】      （修正有）【課題】補助接地極の状態に基づいて、測定結果の最小値を制限する。【解決手段】ステップＳ１〜４で、それぞれ合成接地抵抗Ｒｅｐの抵抗値、合成接地抵抗Ｒｅｃの抵抗値、合成接地抵抗Ｒｐｃの抵抗値、接地抵抗Ｒｐの抵抗値および接地抵抗Ｒｃの抵抗値が算出される。ステップＳ５で測定開始が指示されたと判断された場合、ステップＳ６で、被測定接地体Ｅ−第２の補助接地極Ｃ間に交流電圧Ｖ１が印加されて、第２の補助接地極Ｃに注入される電流値と、被測定接地体Ｅ−第１の補助接地極Ｐ間の電圧値が測定され、ステップＳ７で接地抵抗Ｒｅの抵抗値が求められる。ステップＳ８で、接地抵抗Ｒｐの抵抗値および接地抵抗Ｒｃの抵抗値が、ともに所定の値以下であったと判断された場合、ステップＳ９で接地抵抗値が表示され、少なくともいずれかが所定の値以下ではなかったと判断された場合、ステップＳ１０で接地抵抗Ｒｅの抵抗値が最小値を制限して表示される。【選択図】図３
2014115142.tif 000002
【特許請求の範囲】
【請求項１】
第１の補助接地極に接続される第１の接続端子と、第２の補助接地極に接続される第２の接続端子と、被測定接地体と接続される第３の接続端子とを有し、被測定接地体の接地抵抗を測定する接地抵抗計において、
交流電圧を生成する信号生成手段と、
前記信号生成手段により生成された交流電圧により所定の回路に流れる電流の電流値を測定する電流測定手段と、
前記信号生成手段により生成された交流電圧により所定の回路に印加される電圧の電圧値を測定する電圧測定手段と、
前記第１の接続端子、前記第２の接続端子、および、前記第３の接続端子が接続される回路を切り替えるスイッチング手段と、
前記スイッチング手段による回路の切り替えを制御するスイッチング制御手段と、
前記スイッチング手段により切り替えられた所定の回路において、前記電流測定手段により測定された前記電流値、および、前記電圧測定手段により測定された前記電圧値に基づいて、前記第１の補助接地極の接地抵抗値、および、前記第２の補助接地極の接地抵抗値を算出する第１の算出手段と、
前記スイッチング手段により切り替えられた所定の回路において、前記電流測定手段により測定された前記電流値、および、前記電圧測定手段により測定された前記電圧値に基づいて、前記被測定接地体の接地抵抗値を算出する第２の算出手段と、
前記第１の算出手段により算出された、前記第１の補助接地極の接地抵抗値および前記第２の補助接地極の接地抵抗値を、所定の値と比較する比較手段と、
前記比較手段の処理結果に基づいて、前記第２の算出手段により算出された前記被測定接地体の接地抵抗値の表示を制御するか、または、最小値を制限して、前記第２の算出手段により算出された前記被測定接地体の接地抵抗値の表示を制御する表示制御手段と
を備えることを特徴とする接地抵抗計。
【請求項２】
請求項１に記載の接地抵抗計であって、
前記比較手段は、前記第１の算出手段により算出された前記第１の補助接地極の接地抵抗値を所定の第１の値と比較するとともに、前記第１の算出手段により算出された前記第２の補助接地極の接地抵抗値を所定の第２の値と比較し、
前記表示手段は、前記比較手段の処理結果に基づいて、前記第１の補助接地極の接地抵抗値が所定の第１の値未満であり、かつ、前記第２の補助接地極の接地抵抗値が所定の第２の値未満である場合、前記第２の算出手段により算出された前記被測定接地体の接地抵抗値の表示を制御するとともに、前記第１の補助接地極の接地抵抗値が所定の第１の値以上であるか、前記第２の補助接地極の接地抵抗値が所定の第２の値以上であるかの少なくともいずれかである場合、最小値を制限して、前記第２の算出手段により算出された前記被測定接地体の接地抵抗値の表示を制御する
ことを特徴とする接地抵抗計。
【請求項３】
請求項１に記載の接地抵抗計であって、
前記比較手段は、前記第１の算出手段により算出された前記第１の補助接地極の接地抵抗値および前記第２の補助接地極の接地抵抗値を所定の範囲と比較し、
前記表示制御手段は、前記比較手段の処理結果に基づいて、または、前記第１の算出手段により算出された前記第１の補助接地極の接地抵抗値および前記第２の補助接地極の接地抵抗値の少なくともいずれかが前記所定の範囲内である場合、前記第２の算出手段により算出された前記被測定接地体の接地抵抗値の表示を制御するとともに、前記第１の算出手段により算出された前記第１の補助接地極の接地抵抗値および前記第２の補助接地極の接地抵抗値の両方が前記所定の範囲内ではない場合、最小値を制限して、前記第２の算出手段により算出された前記被測定接地体の接地抵抗値の表示を制御する
ことを特徴とする接地抵抗計。
【請求項４】
請求項３に記載の接地抵抗計であって、
前記所定の範囲は、１００Ω±３％である
ことを特徴とする接地抵抗計。
【請求項５】
請求項１に記載の接地抵抗計であって、
前記比較手段は、前記第１の算出手段により算出された前記第１の補助接地極の接地抵抗値を所定の第１の値と比較するとともに、前記第１の算出手段により算出された前記第２の補助接地極の接地抵抗値を所定の第２の値と比較し、かつ、前記第１の算出手段により算出された前記第１の補助接地極の接地抵抗値および前記第２の補助接地極の接地抵抗値を所定の範囲と比較し、
前記表示制御手段は、前記比較手段の処理結果に基づいて、前記第１の算出手段により算出された前記第１の補助接地極の接地抵抗値が所定の第１の値未満であり、かつ、前記第１の算出手段により算出された前記第２の補助接地極の接地抵抗値が所定の第２の値未満である場合、または、前記第１の算出手段により算出された前記第１の補助接地極の接地抵抗値および前記第２の補助接地極の接地抵抗値の少なくともいずれかが前記所定の範囲内である場合、前記第２の算出手段により算出された前記被測定接地体の接地抵抗値の表示を制御するとともに、前記第１の補助接地極の接地抵抗値が所定の第１の値以上であるか、前記第２の補助接地極の接地抵抗値が所定の第２の値以上であるかの少なくともいずれかであり、かつ、前記第１の算出手段により算出された前記第１の補助接地極の接地抵抗値および前記第２の補助接地極の接地抵抗値の両方が前記所定の範囲内ではない場合、最小値を制限して、前記第２の算出手段により算出された前記被測定接地体の接地抵抗値の表示を制御する
ことを特徴とする接地抵抗計。
【請求項６】
請求項５に記載の接地抵抗計であって、
前記所定の範囲は、１００Ω±３％である
ことを特徴とする接地抵抗計。
【請求項７】
請求項１に記載の接地抵抗計において、
前記スイッチング制御手段は、前記第１の算出手段により前記第１の補助接地極の接地抵抗値、および、前記第２の補助接地極の接地抵抗値が算出される場合と、前記第２の算出手段により前記被測定接地体の接地抵抗値が算出される場合とにおいて、前記第１の接続端子、前記第２の接続端子、および、前記第３の接続端子が接続される回路が異なるものとなるように、前記スイッチング手段を制御する
ことを特徴とする接地抵抗計。
【請求項８】
第１の補助接地極に接続される第１の接続端子と、第２の補助接地極に接続される第２の接続端子と、被測定接地体と接続される第３の接続端子とを有し、被測定接地体の接地抵抗を測定する接地抵抗計の接地抵抗測定方法において、
前記第１の接続端子、前記第２の接続端子、および、前記第３の接続端子が接続される回路を切り替える第１の切り替えステップと、
交流電圧を生成する第１の信号生成ステップと、
前記第１の信号生成ステップの処理により生成された交流電圧により所定の回路に流れる電流の電流値を測定する第１の電流測定ステップと、
前記第１の信号生成ステップの処理により生成された交流電圧により所定の回路に印加される電圧の電圧値を測定する第１の電圧測定ステップと、
前記第１の切り替えステップの処理により切り替えられた所定の回路において、前記第１の電流測定ステップの処理により測定された前記電流値、および、前記第１の電圧測定ステップの処理により測定された前記電圧値に基づいて、前記第１の補助接地極の接地抵抗値、および、前記第２の補助接地極の接地抵抗値を算出する第１の算出ステップと、
前記第１の接続端子、前記第２の接続端子、および、前記第３の接続端子が接続される回路を切り替える第２の切り替えステップと、
交流電圧を生成する第２の信号生成ステップと、
前記第２の信号生成ステップの処理により生成された交流電圧により所定の回路に流れる電流の電流値を測定する第２の電流測定ステップと、
前記第２の信号生成ステップの処理により生成された交流電圧により所定の回路に印加される電圧の電圧値を測定する第２の電圧測定ステップと、
前記第２の切り替えステップの処理により切り替えられた所定の回路において、前記第２の電流測定ステップにより測定された前記電流値、および、前記第２の電圧測定ステップにより測定された前記電圧値に基づいて、前記被測定接地体の接地抵抗値を算出する第２の算出ステップと、
前記第１の算出ステップにより算出された、前記第１の補助接地極の接地抵抗値および前記第２の補助接地極の接地抵抗値を、所定の値と比較する比較ステップと、
前記比較ステップの処理結果に基づいて、前記第２の算出ステップにより算出された前記被測定接地体の接地抵抗値の表示を制御するか、または、最小値を制限して、前記第２の算出ステップにより算出された前記被測定接地体の接地抵抗値の表示を制御する表示制御ステップと
を含むことを特徴とする接地抵抗測定方法。
【請求項９】
第１の補助接地極に接続される第１の接続端子と、第２の補助接地極に接続される第２の接続端子と、被測定接地体と接続される第３の接続端子とを有し、被測定接地体の接地抵抗を測定する接地抵抗計が実行するプログラムであって、
前記第１の接続端子、前記第２の接続端子、および、前記第３の接続端子が接続される回路を切り替える第１の切り替えステップと、
交流電圧を生成する第１の信号生成ステップと、
前記第１の信号生成ステップの処理により生成された交流電圧により所定の回路に流れる電流の電流値を測定する第１の電流測定ステップと、
前記第１の信号生成ステップの処理により生成された交流電圧により所定の回路に印加される電圧の電圧値を測定する第１の電圧測定ステップと、
前記第１の切り替えステップの処理により切り替えられた所定の回路において、前記第１の電流測定ステップの処理により測定された前記電流値、および、前記第１の電圧測定ステップの処理により測定された前記電圧値に基づいて、前記第１の補助接地極の接地抵抗値、および、前記第２の補助接地極の接地抵抗値を算出する第１の算出ステップと、
前記第１の接続端子、前記第２の接続端子、および、前記第３の接続端子が接続される回路を切り替える第２の切り替えステップと、
交流電圧を生成する第２の信号生成ステップと、
前記第２の信号生成ステップの処理により生成された交流電圧により所定の回路に流れる電流の電流値を測定する第２の電流測定ステップと、
前記第２の信号生成ステップの処理により生成された交流電圧により所定の回路に印加される電圧の電圧値を測定する第２の電圧測定ステップと、
前記第２の切り替えステップの処理により切り替えられた所定の回路において、前記第２の電流測定ステップにより測定された前記電流値、および、前記第２の電圧測定ステップにより測定された前記電圧値に基づいて、前記被測定接地体の接地抵抗値を算出する第２の算出ステップと、
前記第１の算出ステップにより算出された、前記第１の補助接地極の接地抵抗値および前記第２の補助接地極の接地抵抗値を、所定の値と比較する比較ステップと、
前記比較ステップの処理結果に基づいて、前記第２の算出ステップにより算出された前記被測定接地体の接地抵抗値の表示を制御するか、または、最小値を制限して、前記第２の算出ステップにより算出された前記被測定接地体の接地抵抗値の表示を制御する表示制御ステップと
を含むことを特徴とするプログラム。
【発明の詳細な説明】
【技術分野】
【０００１】
本発明は、接地抵抗計および接地抵抗測定方法、ならびにプログラムに関する。
【背景技術】
【０００２】
電気設備に施される接地工事は、人体への保安および機器の保全のために必要不可欠とされている。接地工事の際には、地面に埋められる接地体の接地抵抗の大きさを測るために、接地抵抗計を用いる。この接地抵抗計には、交流電位差法によるものがある。
【０００３】
接地抵抗の測定に際して、接地抵抗計の測定端子Ｅには、地面に埋め込まれた接地体である被測定接地体が接続され、測定端子Ｐおよび測定端子Ｃには、別の場所でそれぞれ地面に埋め込まれた補助接地極がそれぞれ接続される。
【０００４】
従来、補助接地抵抗の良否判定を簡単に行なうことができ、地面に埋め込まれた接地体の接地抵抗を高精度に測定し得るようにした接地抵抗計が用いられていた（例えば、特許文献１）。
【０００５】
上述の接地抵抗計においては、合成接地抵抗Ｒｅｐ（＝Ｒｅ＋Ｒｐ）を利用して第１の補助接地極の接地状態を判別し、また合成接地抵抗Ｒｅｃ（＝Ｒｅ＋Ｒｃ）を利用して第２の補助接地極の接地状態を判別している。このため、被測定接地体Ｅの接地抵抗Ｒｅが大きいときには、第１の補助接地極および第２の補助接地極の接地状態が実際には良好であっても、接地状態が良好でないと判別されてしまう。これに対して、少なくとも第１の補助接地極および第２の補助接地極の接地状態を確実に判別し得る接地抵抗計が用いられていた（例えば、特許文献２）。
【先行技術文献】
【特許文献】
【０００６】
【特許文献１】特開平１１−１１８８５１号公報
【特許文献２】特開２０１１−２２６９８３号公報
【発明の概要】
【発明が解決しようとする課題】
【０００７】
接地抵抗計が実際の測定に用いられる場合、上述したように、接地抵抗計の測定端子Ｅには、地面に埋め込まれた接地体である被測定接地体が接続され、測定端子Ｐおよび測定端子Ｃには、別の場所でそれぞれ地面に埋め込まれた第１の補助接地極および第２の補助接地極がそれぞれ接続される。
【０００８】
接地抵抗の測定においては、測定端子Ｃに接続された第２の補助接地極と測定端子Ｅに接続された被測定接地体との間に電圧が印加されることにより、測定端子Ｃに接続された第２の補助接地極に流れる電流が計測されるとともに、測定端子Ｐに接続された第１の補助接地極と測定端子Ｅに接続された被測定接地体との間の電圧が測定される。この電流と電圧の測定結果を用いて、測定端子Ｅに接続された被測定接地体の接地抵抗が測定され、その測定結果が表示されるようになされている。
【０００９】
この時、被測定接地体の接地抵抗が良好で、かつ、接地抵抗計が真値よりも低い値を表示する場合においては、測定値として、「０．００Ω」が表示される場合がある。
【００１０】
例えば、測定確度が±２％ｒｄｇ、±０．１Ωである接地抵抗計で、接地抵抗０．１Ωの被測定接地体が測定された場合、測定値は、０〜０．２Ωとなり、実際に接地抵抗が０Ωではないのにもかかわらず、測定値として、「０．００Ω」が表示される場合がある。
【００１１】
このように、接地抵抗計の仕様により、測定値として、「０．００Ω」となることはあり得るのであるが、接地抵抗が０Ωであることはあり得ないと一般的に認知されているため、上述した接地抵抗計の確度が鑑みられることはほぼなく、測定値としての「０．００Ω」は、現実的には受け入れられない。測定結果の報告は、接地抵抗計の表示部を写真撮影して行われることも多く、「０．００Ω」と表示された測定結果は用いることができない。
【００１２】
これに対して、接地抵抗計の校正時や、故障していないかをチェックするような場合、測定端子Ｅ、測定端子Ｐ、および、測定端子Ｃをすべて短絡した状態において、測定結果として「０Ω」が表示されることが確認される。また、接地抵抗計の国際規格ＩＥＣ６１５５７−５で、製品の仕様を満たしているか否かの試験は、第１の補助接地極Ｐの接地抵抗Ｒｐの抵抗値および第２の補助接地極Ｃの接地抵抗Ｒｃの抵抗値が、１００Ω±３％の範囲内であるという条件において実行されるように定められている。このように、測定条件が定められた試験においても、測定結果として、必要に応じて「０Ω」が表示されなければならない。すなわち、接地抵抗計において、単純に「０．００Ω」等の表示を禁止することはできない。
【００１３】
そこで、本発明は、上記課題を解決すること、すなわち、補助接地極の状態に基づいて、必要に応じて、測定結果の最小値を制限することができる、接地抵抗計および接地抵抗測定方法、ならびにプログラムを提供することを目的とする。
【課題を解決するための手段】
【００１４】
上記課題を解決するために、本発明の接地抵抗計の一側面は、交流電圧を生成する信号生成手段と、信号生成手段により生成された交流電圧により所定の回路に流れる電流の電流値を測定する電流測定手段と、信号生成手段により生成された交流電圧により所定の回路に印加される電圧の電圧値を測定する電圧測定手段と、第１の接続端子、第２の接続端子、および、第３の接続端子が接続される回路を切り替えるスイッチング手段と、スイッチング手段による回路の切り替えを制御するスイッチング制御手段と、スイッチング手段により切り替えられた所定の回路において、電流測定手段により測定された電流値、および、電圧測定手段により測定された電圧値に基づいて、第１の補助接地極の接地抵抗値、および、第２の補助接地極の接地抵抗値を算出する第１の算出手段と、スイッチング手段により切り替えられた所定の回路において、電流測定手段により測定された電流値、および、電圧測定手段により測定された電圧値に基づいて、被測定接地体の接地抵抗値を算出する第２の算出手段と、第１の算出手段により算出された、第１の補助接地極の接地抵抗値および第２の補助接地極の接地抵抗値を、所定の値と比較する比較手段と、比較手段の処理結果に基づいて、第２の算出手段により算出された被測定接地体の接地抵抗値の表示を制御するか、または、最小値を制限して、被測定接地体の接地抵抗値の表示を制御する表示制御手段とを備えることを特徴とする。
【００１５】
本発明の他の側面は、比較手段が、第１の算出手段により算出された第１の補助接地極の接地抵抗値を所定の第１の値と比較するとともに、第１の算出手段により算出された第２の補助接地極の接地抵抗値を所定の第２の値と比較し、表示手段が、比較手段の処理結果に基づいて、第１の補助接地極の接地抵抗値が所定の第１の値未満であり、かつ、第２の補助接地極の接地抵抗値が所定の第２の値未満である場合、第２の算出手段により算出された被測定接地体の接地抵抗値の表示を制御するとともに、第１の補助接地極の接地抵抗値が所定の第１の値以上であるか、第２の補助接地極の接地抵抗値が所定の第２の値以上であるかの少なくともいずれかである場合、最小値を制限して、第２の算出手段により算出された被測定接地体の接地抵抗値の表示を制御することを特徴とする。
【００１６】
本発明の他の側面は、比較手段が、第１の算出手段により算出された第１の補助接地極の接地抵抗値および第２の補助接地極の接地抵抗値を所定の範囲と比較し、表示制御手段が、比較手段の処理結果に基づいて、第１の算出手段により算出された第１の補助接地極の接地抵抗値および第２の補助接地極の接地抵抗値の少なくともいずれかが所定の範囲内である場合、第２の算出手段により算出された被測定接地体の接地抵抗値の表示を制御するとともに、第１の算出手段により算出された第１の補助接地極の接地抵抗値および第２の補助接地極の接地抵抗値の両方が所定の範囲内ではない場合、最小値を制限して、第２の算出手段により算出された被測定接地体の接地抵抗値の表示を制御することを特徴とする。
【００１７】
本発明の他の側面は、所定の範囲が１００Ω±３％であることを特徴とする。
【００１８】
本発明の他の側面は、比較手段が、第１の算出手段により算出された第１の補助接地極の接地抵抗値を所定の第１の値と比較するとともに、第１の算出手段により算出された第２の補助接地極の接地抵抗値を所定の第２の値と比較し、かつ、第１の算出手段により算出された第１の補助接地極の接地抵抗値および第２の補助接地極の接地抵抗値を所定の範囲と比較し、表示制御手段が、比較手段の処理結果に基づいて、第１の算出手段により算出された第１の補助接地極の接地抵抗値が所定の第１の値未満であり、かつ、第１の算出手段により算出された第２の補助接地極の接地抵抗値が所定の第２の値未満である場合、または、第１の算出手段により算出された第１の補助接地極の接地抵抗値および第２の補助接地極の接地抵抗値の少なくともいずれかが所定の範囲内である場合、第２の算出手段により算出された被測定接地体の接地抵抗値の表示を制御するとともに、第１の補助接地極の接地抵抗値が所定の第１の値以上であるか、第２の補助接地極の接地抵抗値が所定の第２の値以上であるかの少なくともいずれかであり、かつ、第１の算出手段により算出された第１の補助接地極の接地抵抗値および第２の補助接地極の接地抵抗値の両方が所定の範囲内ではない場合、最小値を制限して、第２の算出手段により算出された被測定接地体の接地抵抗値の表示を制御することを特徴とする。
【００１９】
本発明の他の側面は、所定の範囲が１００Ω±３％であることを特徴とする。
【００２０】
本発明の他の側面は、スイッチング制御手段が、第１の算出手段により第１の補助接地極の接地抵抗値、および、第２の補助接地極の接地抵抗値が算出される場合と、第２の算出手段により被測定接地体の接地抵抗値が算出される場合とにおいて、第１の接続端子、第２の接続端子、および、第３の接続端子が接続される回路が異なるものとなるように、スイッチング手段を制御することを特徴とする。
【００２１】
本発明の接地抵抗測定方法の一側面は、第１の接続端子、第２の接続端子、および、第３の接続端子が接続される回路を切り替える第１の切り替えステップと、交流電圧を生成する第１の信号生成ステップと、第１の信号生成ステップの処理により生成された交流電圧により所定の回路に流れる電流の電流値を測定する第１の電流測定ステップと、第１の信号生成ステップの処理により生成された交流電圧により所定の回路に印加される電圧の電圧値を測定する第１の電圧測定ステップと、第１の切り替えステップの処理により切り替えられた所定の回路において、第１の電流測定ステップの処理により測定された電流値、および、第１の電圧測定ステップの処理により測定された電圧値に基づいて、第１の補助接地極の接地抵抗値、および、第２の補助接地極の接地抵抗値を算出する第１の算出ステップと、第１の接続端子、第２の接続端子、および、第３の接続端子が接続される回路を切り替える第２の切り替えステップと、交流電圧を生成する第２の信号生成ステップと、第２の信号生成ステップの処理により生成された交流電圧により所定の回路に流れる電流の電流値を測定する第２の電流測定ステップと、第２の信号生成ステップの処理により生成された交流電圧により所定の回路に印加される電圧の電圧値を測定する第２の電圧測定ステップと、第２の切り替えステップの処理により切り替えられた所定の回路において、第２の電流測定ステップにより測定された電流値、および、第２の電圧測定ステップにより測定された電圧値に基づいて、被測定接地体の接地抵抗値を算出する第２の算出ステップと、第１の算出ステップにより算出された、第１の補助接地極の接地抵抗値および第２の補助接地極の接地抵抗値を、所定の値と比較する比較ステップと、比較ステップの処理結果に基づいて、第２の算出ステップにより算出された被測定接地体の接地抵抗値の表示を制御するか、または、最小値を制限して、第２の算出ステップにより算出された被測定接地体の接地抵抗値の表示を制御する表示制御ステップとを含むことを特徴とする。
【００２２】
本発明のプログラムの一側面は、第１の接続端子、第２の接続端子、および、第３の接続端子が接続される回路を切り替える第１の切り替えステップと、交流電圧を生成する第１の信号生成ステップと、第１の信号生成ステップの処理により生成された交流電圧により所定の回路に流れる電流の電流値を測定する第１の電流測定ステップと、第１の信号生成ステップの処理により生成された交流電圧により所定の回路に印加される電圧の電圧値を測定する第１の電圧測定ステップと、第１の切り替えステップの処理により切り替えられた所定の回路において、第１の電流測定ステップの処理により測定された電流値、および、第１の電圧測定ステップの処理により測定された電圧値に基づいて、第１の補助接地極の接地抵抗値、および、第２の補助接地極の接地抵抗値を算出する第１の算出ステップと、第１の接続端子、第２の接続端子、および、第３の接続端子が接続される回路を切り替える第２の切り替えステップと、交流電圧を生成する第２の信号生成ステップと、第２の信号生成ステップの処理により生成された交流電圧により所定の回路に流れる電流の電流値を測定する第２の電流測定ステップと、第２の信号生成ステップの処理により生成された交流電圧により所定の回路に印加される電圧の電圧値を測定する第２の電圧測定ステップと、第２の切り替えステップの処理により切り替えられた所定の回路において、第２の電流測定ステップにより測定された電流値、および、第２の電圧測定ステップにより測定された電圧値に基づいて、被測定接地体の接地抵抗値を算出する第２の算出ステップと、第１の算出ステップにより算出された、第１の補助接地極の接地抵抗値および第２の補助接地極の接地抵抗値を、所定の値と比較する比較ステップと、比較ステップの処理結果に基づいて、第２の算出ステップにより算出された被測定接地体の接地抵抗値の表示を制御するか、または、最小値を制限して、第２の算出ステップにより算出された被測定接地体の接地抵抗値の表示を制御する表示制御ステップとを含むことを特徴とする。
【発明の効果】
【００２３】
本発明によれば、補助接地極の状態に基づいて、必要に応じて、測定結果の最小値を制限することができる。
【図面の簡単な説明】
【００２４】
【図１】接地抵抗計の第１の構成例を示す図である。
【図２】制御部が有する機能について説明するための機能ブロック図である。
【図３】接地抵抗測定処理１について説明するためのフローチャートである。
【図４】接地抵抗計の第２の構成例を示す図である。
【図５】制御部が有する機能について説明するための機能ブロック図である。
【図６】接地抵抗測定処理２について説明するためのフローチャートである。
【発明を実施するための形態】
【００２５】
まず、図１、図２、および図３を参照して、補助接地極の状態に基づいて、必要に応じて、測定結果の最小値を制限することができる接地抵抗計の第１の例である接地抵抗計１について説明する。
【００２６】
図１を参照して、接地抵抗計１の構成について説明する。
【００２７】
接地抵抗計１は、信号生成部１１、電流測定部１２、電圧測定部１３、制御部１４、記憶部１５、表示部１６、操作入力部１７、スイッチング処理部１８、および、接続端子３１，３２，３３を備えている。接地抵抗計１は、接地抵抗の測定において、接続端子３１に接続される第１の補助接地極Ｐ、および、接続端子３２に接続される第２の補助接地極Ｃを用いて、接続端子３３に接続される被測定接地体Ｅの接地抵抗Ｒｅを、３電極法によって繰り返し測定する。
【００２８】
信号生成部１１は、後述する制御部１４の制御に基づいて、一定の周波数（既知の周波数）で、かつ一定の振幅の交流電圧（一例として正弦波電圧）Ｖ１を生成して一対の出力端子（不図示）から出力する。また、信号生成部１１は、一対の出力端子のうちの第１の出力端子が後述する電流測定部１２に、第２の出力端子が後述するスイッチング処理部１８のスイッチ４２にそれぞれ接続されている。
【００２９】
電流測定部１２は、一例として交流電流計で構成されて、一対の入力端子（不図示）のうちの第１の入力端子が信号生成部１１の第１の出力端子に接続され、かつ第２の入力端子が後述するスイッチング処理部１８のスイッチ４１にそれぞれ接続されることにより、信号生成部１１に直列に接続されて、信号生成部１１を含む電流経路（測定ループ）を流れる交流電流Ｉ１の電流値を予め決められた周期（一例として、交流電圧Ｖ１の周期に同期した周期）で測定する。また、電流測定部１２は、電流値を測定する都度、測定した電流値（以下、「測定電流値」とも称する）を、後述する制御部１４に出力する。
【００３０】
電圧測定部１３は、一例として交流電圧計で構成されて、一対の入力端子（不図示）のうちの第１の入力端子が後述するスイッチング処理部１８のスイッチ４３に接続されると共に、第２の入力端子が電流測定部１２の第２の入力端子（後述するスイッチング処理部１８のスイッチ４１に接続されている端子）に接続され、その両端に発生する交流電圧の電圧値を予め決められた周期（一例として、交流電圧Ｖ１の周期に同期した周期）で測定する。また、電圧測定部１３は、電圧値を測定する都度、測定した電圧値（以下、「測定電圧値」とも称する）を後述する制御部１４に出力する。
【００３１】
制御部１４は、例えば、ＣＰＵなどの演算素子、および、内部メモリなどを備えて構成され、後述する操作入力部１７からユーザの操作入力に対応する信号の入力を受け、電流測定部１２から供給される測定電流値、および、電圧測定部１３から供給される測定電圧値に基づいて、図３を用いて後述する接地抵抗測定処理１を含む処理を実行する。この場合、内部メモリは、ＣＰＵのワークメモリとして機能する。
【００３２】
すなわち、制御部１４は、信号生成部１１およびスイッチング処理部１８を制御して、接続端子３１に接続される第１の補助接地極Ｐの接地抵抗Ｒｐ、および、接続端子３２に接続される第２の補助接地極Ｃの接地抵抗Ｒｃを測定したのち、接続端子３３に接続される被測定接地体Ｅの接地抵抗Ｒｅを、３電極法により測定する。そして、制御部１４は、第１の補助接地極Ｐの接地抵抗Ｒｐ、および、第２の補助接地極Ｃの接地抵抗Ｒｃが、いずれも所定の値より低かった場合、被測定接地体Ｅの接地抵抗Ｒｅの測定値を表示部１６に表示させ、第１の補助接地極Ｐの接地抵抗Ｒｐ、および、第２の補助接地極Ｃの接地抵抗Ｒｃの少なくともいずれかが所定の値より高かった場合、被測定接地体Ｅの接地抵抗Ｒｅの測定値が表示部１６に０Ωと表示されるのを禁止し、例えば、「０．０１Ω」などの値に測定結果の最小値を制限して、被測定接地体Ｅの接地抵抗Ｒｅの測定値を表示部１６に表示させる。
【００３３】
制御部１４が有する機能の詳細については、図２の機能ブロックを用いて後述する。
【００３４】
記憶部１５は、例えば、半導体メモリやハードディスクなどで構成され、ＣＰＵなどの制御部１４の演算素子が実行する動作プログラムと、図３を用いて説明する接地抵抗測定処理において利用される第１の補助接地極Ｐの接地抵抗Ｒｐ、および、第２の補助接地極Ｃの接地抵抗Ｒｃの閾値などが予め記憶されている。
【００３５】
表示部１６は、例えば、ＬＣＤ（Liquid Crystal Display）などのディスプレイ装置で構成されて、制御部１４が実行した各処理での結果を画面上に表示させる。
【００３６】
操作入力部１７は、例えば、ボタン、レバー、ダイヤル、タッチパネルなどの入力デバイスにより構成され、ユーザからの操作入力を受け、ユーザからの操作入力を示す信号を制御部１４に供給する。
【００３７】
スイッチング処理部１８は、スイッチ４１、スイッチ４２、および、スイッチ４３を含んで構成され、制御部１４の制御に基づいて、例えば、単極双投型（１回路２接点型）の切り替えスイッチで構成されているスイッチ４１、スイッチ４２、および、スイッチ４３を切り替える。具体的には、スイッチ４１は、第１のコモン接点com１に接続されている電流測定部１２の第２の入力端子および電圧測定部１３の第２の入力端子を、制御部１４の制御に基づいて、接続端子３１または接続端子３３と接続する。スイッチ４２は、第２のコモン接点com２に接続されている信号生成部１１の第２の出力端子およびスイッチ４３を、制御部１４の制御に基づいて、接続端子３１または接続端子３２と接続する。そして、スイッチ４３は、第３のコモン接点com３に接続されている電圧測定部１３の第１の入力端子を、制御部１４の制御に基づいて、スイッチ４２または接続端子３１と接続する。
【００３８】
接続端子３１には、第１の補助接地極Ｐが接続され、接続端子３２には、第２の補助接地極Ｃが接続され、接続端子３３には、被測定接地体Ｅが接続される。
【００３９】
図２は、制御部１４が有する機能について説明するための機能ブロック図である。
【００４０】
制御部１４は、電圧印加制御部５１、スイッチング制御部５２、補助接地極接地抵抗算出部５３、比較部５４、被測定接地体接地抵抗算出部５５、および、表示制御部５６を含む機能を有している。
【００４１】
電圧印加制御部５１は、信号生成部１１を制御して、その両端に電圧Ｖ１を印加させる。
【００４２】
スイッチング制御部５２は、スイッチング処理部１８による回路の切り替えを制御する。
【００４３】
補助接地極接地抵抗算出部５３は、電流測定部１２により測定された測定電流値、および、電圧測定部１３により測定された測定電圧値に基づいて、第１の補助接地極Ｐの接地抵抗Ｒｐの抵抗値、および、第２の補助接地極Ｃの接地抵抗Ｒｃの抵抗値を算出し、比較部５４に出力する。
【００４４】
具体的には、補助接地極接地抵抗算出部５３は、スイッチング処理部１８により切り替えられる所定の回路において得られる測定電流値および測定電圧値に基づいて、合成接地抵抗Ｒｅｐの抵抗値、合成接地抵抗Ｒｅｃの抵抗値、および、合成接地抵抗Ｒｐｃの抵抗値を算出する。そして、補助接地極接地抵抗算出部５３は、次の式（１）、式（２）、および、式（３）に示される連立方程式を解くことにより、第１の補助接地極Ｐの接地抵抗Ｒｐの抵抗値、および、第２の補助接地極Ｃの接地抵抗Ｒｃの抵抗値を算出して、比較部５４に供給する。
【００４５】
Ｒｅｐ＝Ｒｅ＋Ｒｐ
・・・ （１）
Ｒｅｃ＝Ｒｅ＋Ｒｃ
・・・ （２）
Ｒｐｃ＝Ｒｐ＋Ｒｃ
・・・ （３）
【００４６】
比較部５４は、補助接地極接地抵抗算出部５３により算出された、第１の補助接地極Ｐの接地抵抗Ｒｐの抵抗値を、記憶部１５に記憶されている第１の閾値と比較するとともに、補助接地極接地抵抗算出部５３により算出された、第２の補助接地極Ｃの接地抵抗Ｒｃの抵抗値を、記憶部１５に記憶されている第２の閾値と比較し、その比較結果を表示制御部５６に供給する。
【００４７】
被測定接地体接地抵抗算出部５５は、被測定接地体Ｅ−第２の補助接地極Ｃ間に電圧Ｖ１が印加された状態において、電流測定部１２により測定された第２の補助接地極Ｃに注入される電流値と、電圧測定部１３により測定された被測定接地体Ｅ−第１の補助接地極Ｐ間の電圧値を取得する。そして、被測定接地体接地抵抗算出部５５は、取得された測定電流値および測定電圧値に基づいて、３電極法により被測定接地体Ｅの接地抵抗Ｒｅの抵抗値を算出し、表示制御部５６に供給する。
【００４８】
表示制御部５６は、比較部５４の処理により、第１の補助接地極Ｐの接地抵抗Ｒｐの抵抗値が第１の閾値未満であり、かつ、第２の補助接地極Ｃの接地抵抗Ｒｃの抵抗値が第２の閾値未満である場合、被測定接地体接地抵抗算出部５５により算出された被測定接地体Ｅの接地抵抗Ｒｅの抵抗値の、表示部１６への表示を制御するとともに、第１の補助接地極Ｐの接地抵抗Ｒｐの抵抗値が第１の閾値以上であるか、第２の補助接地極Ｃの接地抵抗Ｒｃの抵抗値が第２の閾値以上であるかの少なくともいずれかである場合、０Ωとならないように、例えば、「０．０１Ω」や「０．００１Ω」など、接地抵抗計１の分解能に応じた桁数で最小値を制限して、被測定接地体接地抵抗算出部５５により算出された被測定接地体Ｅの接地抵抗Ｒｅの抵抗値の、表示部１６への表示を制御する。
【００４９】
次に、図３のフローチャートを参照して、接地抵抗計１が実行する接地抵抗測定処理１について説明する。
【００５０】
接地抵抗測定処理１は、接地抵抗計１のユーザにより、第１の補助接地極Ｐおよび第２の補助接地極Ｃが大地の所定の位置に打ち込まれて、接続端子３１には、第１の補助接地極Ｐが接続され、接続端子３２には、第２の補助接地極Ｃが接続され、接続端子３３には、被測定接地体Ｅが接続された状態で実行されるか、または、接地抵抗計１の動作チェックや校正のために、接続端子３１、接続端子３２、および、接続端子３３が短絡された状態において実行される。
【００５１】
ステップＳ１において、制御部１４は、被測定接地体Ｅ−第１の補助接地極Ｐ間に交流電圧Ｖ１を印加して、合成接地抵抗Ｒｅｐの抵抗値を算出する。
【００５２】
具体的には、制御部１４のスイッチング制御部５２は、スイッチング処理部１８を制御して、スイッチ４１の第１のコモン接点com１を接続端子３３と接続させ、スイッチ４２の第２のコモン接点com２を接続端子３１と接続させるとともに、スイッチ４３の第３のコモン接点com３をスイッチ４２と接続させる。そして、電圧印加制御部５１が、信号生成部１１に交流電圧Ｖ１を出力させることにより、被測定接地体Ｅ−第１の補助接地極Ｐ間に交流電圧Ｖ１を印加する。このとき、信号生成部１１、電流測定部１２、スイッチ４１、接続端子３３と接続された被測定接地体Ｅ、および、接続端子３１と接続された第１の補助接地極Ｐを含む直列回路に交流電流Ｉ１が流れる。電流測定部１２は、交流電流Ｉ１の電流値を測定し、制御部１４の補助接地極接地抵抗算出部５３に供給する。電圧測定部１３は、被測定接地体Ｅ−第１の補助接地極Ｐ間に印加される交流電圧Ｖｅｐの電圧値を測定し、制御部１４の補助接地極接地抵抗算出部５３に供給する。
【００５３】
そして、制御部１４の補助接地極接地抵抗算出部５３は、電流測定部１２による測定電流値、および、電圧測定部１３による測定電圧値に基づいて、（測定電圧値／測定電流値）の演算により、合成接地抵抗Ｒｅｐの抵抗値を算出し、内部メモリに記憶する。その後、制御部１４の電圧印加制御部５１は、信号生成部１１に対して交流電圧Ｖ１の出力を停止させる。
【００５４】
ステップＳ２において、制御部１４は、被測定接地体Ｅ−第２の補助接地極Ｃ間に交流電圧Ｖ１を印加して、合成接地抵抗Ｒｅｃの抵抗値を算出する。
【００５５】
具体的には、制御部１４のスイッチング制御部５２は、スイッチング処理部１８を制御して、スイッチ４１の第１のコモン接点com１を接続端子３３と接続させ、スイッチ４２の第２のコモン接点com２を接続端子３２と接続させるとともに、スイッチ４３の第３のコモン接点com３をスイッチ４２と接続させる。そして、電圧印加制御部５１が、信号生成部１１に交流電圧Ｖ１を出力させることにより、被測定接地体Ｅ−第２の補助接地極Ｃ間に交流電圧Ｖ１を印加する。このとき、信号生成部１１、電流測定部１２、スイッチ４１、接続端子３３と接続された被測定接地体Ｅ、および、接続端子３２と接続された第２の補助接地極Ｃを含む直列回路に交流電流Ｉ１が流れる。電流測定部１２は、交流電流Ｉ１の電流値を測定し、制御部１４の補助接地極接地抵抗算出部５３に供給する。電圧測定部１３は、被測定接地体Ｅ−第２の補助接地極Ｃ間に印加される交流電圧Ｖｅｃの電圧値を測定し、制御部１４の補助接地極接地抵抗算出部５３に供給する。
【００５６】
そして、制御部１４の補助接地極接地抵抗算出部５３は、電流測定部１２による測定電流値、および、電圧測定部１３による測定電圧値に基づいて、（測定電圧値／測定電流値）の演算により、合成接地抵抗Ｒｅｃの抵抗値を算出し、内部メモリに記憶する。その後、制御部１４の印加電圧制御部５１は、信号生成部１１に対して交流電圧Ｖ１の出力を停止させる。
【００５７】
ステップＳ３において、制御部１４は、第１の補助接地極Ｐ−第２の補助接地極Ｃ間に交流電圧Ｖ１を印加して、合成接地抵抗Ｒｐｃの抵抗値を算出する。
【００５８】
具体的には、制御部１４のスイッチング制御部５２は、スイッチング処理部１８を制御して、スイッチ４１の第１のコモン接点com１を接続端子３１と接続させ、スイッチ４２の第２のコモン接点com２を接続端子３２と接続させるとともに、スイッチ４３の第３のコモン接点com３をスイッチ４２と接続させる。そして、電圧印加制御部５１が、信号生成部１１に交流電圧Ｖ１を出力させることにより、第１の補助接地極Ｐ−第２の補助接地極Ｃ間に交流電圧Ｖ１を印加する。このとき、信号生成部１１、電流測定部１２、スイッチ４１、接続端子３１と接続された第１の補助接地極Ｐ、および、接続端子３２と接続された第２の補助接地極Ｃを含む直列回路に交流電流Ｉ１が流れる。電流測定部１２は、交流電流Ｉ１の電流値を測定し、制御部１４の補助接地極接地抵抗算出部５３に供給する。電圧測定部１３は、第１の補助接地極Ｐ−第２の補助接地極Ｃ間に印加される交流電圧Ｖｐｃの電圧値を測定し、制御部１４の補助接地極接地抵抗算出部５３に供給する。
【００５９】
そして、制御部１４の補助接地極接地抵抗算出部５３は、電流測定部１２による測定電流値、および、電圧測定部１３による測定電圧値に基づいて、（測定電圧値／測定電流値）の演算により、合成接地抵抗Ｒｐｃの抵抗値を算出し、内部メモリに記憶する。その後、制御部１４の電圧印加制御部５１は、信号生成部１１に対して交流電圧Ｖ１の出力を停止させる。
【００６０】
ステップＳ４において、制御部１４は、接地抵抗Ｒｐの抵抗値および接地抵抗Ｒｃの抵抗値を算出する。
【００６１】
具体的には、制御部１４の補助接地極接地抵抗算出部５３は、ステップＳ１〜ステップＳ３の処理により内部メモリに記憶されている合成接地抵抗Ｒｅｐの抵抗値、合成接地抵抗Ｒｅｃの抵抗値、および、合成接地抵抗Ｒｐｃの抵抗値を用いて、上述した式（１）、式（２）、および、式（３）に示される連立方程式を解くことにより、第１の補助接地極Ｐの接地抵抗Ｒｐの抵抗値、および、第２の補助接地極Ｃの接地抵抗Ｒｃの抵抗値を算出し、比較部５４に供給する。
【００６２】
上述したステップ１〜ステップＳ４の処理により、測定準備が終了し、実測定が可能となる。この時、例えば、表示部１６に、測定準備完了を示す表示を行うことなどにより、ユーザに、例えば、操作入力部１７に設けられた「Ｍｅａｓｕｒｅ」ボタンの押下などの実測定の開始を指示するための操作入力を行うことを促すようにしてもよい。
【００６３】
ステップＳ５において、制御部１４は、操作入力部１７から供給される、ユーザの操作入力を示す信号に基づいて、測定開始が指示されたか否かを判断する。ステップＳ５において、測定開始が指示されていないと判断された場合、測定開始が指示されたと判断されるまで、ステップＳ５の処理が繰り返される。
【００６４】
ステップＳ５において、測定開始が指示されたと判断された場合、ステップＳ６において、制御部１４は、被測定接地体Ｅ−第２の補助接地極Ｃ間に交流電圧Ｖ１を印加して、電流測定部１２は、第２の補助接地極Ｃに注入される交流電流Ｉ１の電流値を測定し、電圧測定部１３は、被測定接地体Ｅ−第１の補助接地極Ｐ間の電圧値を測定する。
【００６５】
具体的には、制御部１４のスイッチング制御部５２は、スイッチング処理部１８を制御して、スイッチ４１の第１のコモン接点com１を接続端子３３と接続させ、スイッチ４２の第２のコモン接点com２を接続端子３２と接続させるとともに、スイッチ４３の第３のコモン接点com３を接続端子３１と接続させる。そして、電圧印加制御部５１は、信号生成部１１に交流電圧Ｖ１を出力させることにより、被測定接地体Ｅ−第２の補助接地極Ｃ間に交流電圧Ｖ１を印加する。電流測定部１２は、第２の補助接地極Ｃに注入される交流電流Ｉ１の電流値を測定し、制御部１４の被測定接地体接地抵抗算出部５５に供給する。電圧測定部１３は、交流電流Ｉ１が大地Ｇ中を流れることに起因して被測定接地体Ｅと第１の補助接地極Ｐとの間に発生する交流電圧Ｖｅｐを測定し、制御部１４の被測定接地体接地抵抗算出部５５に供給する。
【００６６】
ステップＳ７において、制御部１４の被測定接地体接地抵抗算出部５５は、ステップＳ６の処理により得られた第２の補助接地極Ｃに注入される電流値と、被測定接地体Ｅ−第１の補助接地極Ｐ間の電圧値Ｖｅｐを用いて、３電極法により、被測定接地体Ｅの接地抵抗Ｒｅの抵抗値を求め、表示制御部５６に供給する。
【００６７】
ステップＳ８において、制御部１４の比較部５４は、ステップＳ４の処理により得られた接地抵抗Ｒｐの抵抗値および接地抵抗Ｒｃの抵抗値が、ともに、記憶部１５に記憶されている所定の値以下であったか否かを判断し、判断結果を、表示制御部５６に供給する。記憶部１５に記憶されている所定の値、すなわち、上述した第１の閾値および第２の閾値は、同一の値であっても異なる値であってもよく、その値は、例えば、１０Ω程度であるものとすると好適である。
【００６８】
ステップＳ８において、接地抵抗Ｒｐの抵抗値および接地抵抗Ｒｃの抵抗値が、ともに、記憶部１５に記憶されている所定の値以下であったと判断された場合、この測定は、接地抵抗計１の動作チェックや校正であると推定されるので、ステップＳ９において、制御部１４の表示制御部５６は、表示部１６を制御して、被測定接地体Ｅの接地抵抗Ｒｅの抵抗値をそのまま表示させ、処理が終了される。
【００６９】
ステップＳ８において、接地抵抗Ｒｐの抵抗値および接地抵抗Ｒｃの抵抗値のうちの少なくともいずれかが、記憶部１５に記憶されている所定の値以下ではなかったと判断された場合、この測定は実測定であると推定されるので、ステップＳ１０において、制御部１４の表示制御部５６は、表示部１６を制御して、被測定接地体Ｅの接地抵抗Ｒｅの抵抗値を、最小値を制限して表示させ、処理が終了される。
【００７０】
具体的には、制御部１４の表示制御部５６は、接地抵抗Ｒｐの抵抗値および接地抵抗Ｒｃの抵抗値のうちの少なくともいずれかが、記憶部１５に記憶されている所定の値、すなわち、第１の閾値または第２の閾値以下ではなかった場合、演算の結果得られた被測定接地体Ｅの接地抵抗Ｒｅの抵抗値が「０Ω」となる場合であっても、表示部１６を制御して、その分解能に応じて、例えば、「０．０１Ω」や「０．００１Ω」などの値を表示させる。
【００７１】
実際の被測定接地体Ｅの接地抵抗Ｒｅの抵抗値の測定時においては、第１の補助接地抵抗Ｐの接地抵抗Ｒｐの値、または、第２の接地抵抗Ｃの接地抵抗Ｒｃの値は、ある程度の値をとることが想定される。それに対して、接地抵抗計１の校正や動作チェックなどにおいては、接続端子３１，３２、および３３が短絡されるので、第１の補助接地抵抗Ｐの接地抵抗Ｒｐの値、または、第２の接地抵抗Ｃの接地抵抗Ｒｃの値は、０Ωに近い値となることが想定される。
【００７２】
したがって、このような処理を実行することにより、実際の被測定接地体Ｅの接地抵抗Ｒｅの抵抗値の測定時に、接地抵抗計の確度により「０．００Ω」や「０．０００Ω」などの値が表示部１６に表示されることを防止することができるので、ユーザは、被測定接地体Ｅの接地抵抗Ｒｅの抵抗値の測定結果を報告できないような事態に陥ることがなくなる。そして、接地抵抗計１の校正や動作チェックなど、接続端子３１，３２、および３３が短絡された場合においては、「０．００Ω」や「０．０００Ω」などの値が表示部１６に表示可能となるので、故障と判断されることはない。
【００７３】
また、このような処理により、第１の補助接地極の接地抵抗値、および、第２の補助接地極の接地抵抗値を、合成接地抵抗Ｒｅｐ（＝Ｒｅ＋Ｒｐ）および合成接地抵抗Ｒｅｃ（＝Ｒｅ＋Ｒｃ）を用いずに、より正確に求めることが可能となる。
【００７４】
ところで、接地抵抗計の国際規格ＩＥＣ６１５５７−５で、製品の仕様を満たしているか否かの試験は、第１の補助接地極Ｐの接地抵抗Ｒｐの抵抗値および第２の補助接地極Ｃの接地抵抗Ｒｃの抵抗値が、１００Ω±３％の範囲内であるという条件において実行されるようにきめられている。よって、製品の仕様を満たしているか否かの試験において故障であると誤認識されないように、第１の補助接地極Ｐの接地抵抗Ｒｐの抵抗値および第２の補助接地極Ｃの接地抵抗Ｒｃの抵抗値の少なくともいずれか一方が、例えば、１００Ω±３％などの試験条件に定められた所定の範囲内である場合、算出された被測定接地体Ｅの接地抵抗Ｒｅの抵抗値を、その最小値を制限することなく、表示させるようにすると好適である。
【００７５】
次に、図４、図５、および図６を参照して、補助接地極の状態に基づいて、必要に応じて、測定結果の最小値を制限することができる接地抵抗計の第２の例である接地抵抗計７１について説明する。
【００７６】
接地抵抗計７１は、第１の補助接地極Ｐの接地抵抗Ｒｐの抵抗値および第２の補助接地極Ｃの接地抵抗Ｒｃの抵抗値がいずれも所定の値以下である場合に加えて、第１の補助接地極Ｐの接地抵抗Ｒｐの抵抗値および第２の補助接地極Ｃの接地抵抗Ｒｃの抵抗値の少なくともいずれか一方が、例えば、１００Ω±３％などの所定の範囲内である場合、算出された被測定接地体Ｅの接地抵抗Ｒｅの抵抗値を、その最小値を制限することなく、表示させることができるとともに、第１の補助接地極Ｐの接地抵抗Ｒｐの抵抗値および第２の補助接地極Ｃの接地抵抗Ｒｃの抵抗値のうちの少なくとも一方が所定の値以上であり、かつ、第１の補助接地極Ｐの接地抵抗Ｒｐの抵抗値および第２の補助接地極Ｃの接地抵抗Ｒｃの抵抗値の両方が、例えば、１００Ω±３％などの所定の範囲内ではない場合、算出された被測定接地体Ｅの接地抵抗Ｒｅの抵抗値を、その最小値を制限して表示させることができる。以下、一例として、所定の範囲が１００Ω±３％である場合について説明する。
【００７７】
図４を参照して、接地抵抗計７１の構成について説明する。
【００７８】
なお、図１の接地抵抗計１と同一の部分には、同一の番号を付し、その詳細な説明は省略する。すなわち、図４の接地抵抗計７１には、制御部１４に代えて、制御部８１が設けられている。他の構成は、図１に示した接地抵抗計１と同様の構成を有する。
【００７９】
制御部８１は、例えば、ＣＰＵなどの演算素子、および、内部メモリなどを備えて構成され、操作入力部１７からユーザの操作入力に対応する信号の入力を受け、電流測定部１２から供給される測定電流値、および、電圧測定部１３から供給される測定電圧値に基づいて、図６を用いて後述する接地抵抗測定処理２を含む処理を実行する。この場合、内部メモリは、ＣＰＵのワークメモリとして機能する。
【００８０】
すなわち、制御部８１は、信号生成部１１およびスイッチング処理部１８を制御して、接続端子３１に接続される第１の補助接地極Ｐの接地抵抗Ｒｐ、および、接続端子３２に接続される第２の補助接地極Ｃの接地抵抗Ｒｃを測定したのち、接続端子３３に接続される被測定接地体Ｅの接地抵抗Ｒｅを、３電極法により測定する。そして、制御部８１は、第１の補助接地極Ｐの接地抵抗Ｒｐ、および、第２の補助接地極Ｃの接地抵抗Ｒｃが、いずれも所定の値より低かった場合に加えて、第１の補助接地極Ｐの接地抵抗Ｒｐの抵抗値および第２の補助接地極Ｃの接地抵抗Ｒｃの抵抗値の少なくともいずれか一方が１００Ω±３％の範囲内である場合、被測定接地体Ｅの接地抵抗Ｒｅの測定値を表示部１６に表示させ、第１の補助接地極Ｐの接地抵抗Ｒｐ、および、第２の補助接地極Ｃの接地抵抗Ｒｃの少なくともいずれかが所定の値より高く、かつ、第１の補助接地極Ｐの接地抵抗Ｒｐの抵抗値および第２の補助接地極Ｃの接地抵抗Ｒｃの抵抗値の両方が１００Ω±３％の範囲内ではない場合、被測定接地体Ｅの接地抵抗Ｒｅの測定値が表示部１６に０Ωと表示されるのを禁止し、例えば、「０．０１Ω」などの値に測定結果の最小値を制限して、被測定接地体Ｅの接地抵抗Ｒｅの測定値を表示部１６に表示させる。
【００８１】
制御部８１が有する機能の詳細は、図４を用いて説明する。
【００８２】
図４は、図３の接地抵抗計７１の制御部８１が有する機能を説明するための機能ブロック図である。なお、図２の制御部１４と同一の部分には、同一の番号を付し、その詳細な説明は省略する。すなわち、制御部８１には、比較部５４に代えて、比較部９１が設けられるとともに、表示制御部５６に代えて、表示制御部９２が設けられている。他の機能は、図２に示した制御部１４と同様の機能を有する。
【００８３】
比較部９１は、補助接地極接地抵抗算出部５３により算出された、第１の補助接地極Ｐの接地抵抗Ｒｐの抵抗値を、記憶部１５に記憶されている第１の閾値と比較するとともに、補助接地極接地抵抗算出部５３により算出された、第２の補助接地極Ｃの接地抵抗Ｒｃの抵抗値を、記憶部１５に記憶されている第２の閾値と比較し、その比較結果を表示制御部９２に供給する。また、比較部９１は、補助接地極接地抵抗算出部５３により算出された、第１の補助接地極Ｐの接地抵抗Ｒｐの抵抗値および第２の補助接地極Ｃの接地抵抗Ｒｃの抵抗値を、１００Ω±３％と比較し、その比較結果を表示制御部９２に供給する。
【００８４】
表示制御部９２は、比較部９１の処理により得られる比較結果に基づいて、第１の補助接地極Ｐの接地抵抗Ｒｐの抵抗値が第１の閾値以下であり、かつ、第２の補助接地極Ｃの接地抵抗Ｒｃの抵抗値が第２の閾値以下であるか、または、第１の補助接地極Ｐの接地抵抗Ｒｐの抵抗値および第２の補助接地極Ｃの接地抵抗Ｒｃの抵抗値の、少なくともいずれか一方が１００Ω±３％の範囲内である場合、被測定接地体接地抵抗算出部５５により算出された被測定接地体Ｅの接地抵抗Ｒｅの抵抗値の、表示部１６への表示を制御する。また、表示制御部９２は、比較部９１の処理により得られる比較結果に基づいて、第１の補助接地極Ｐの接地抵抗Ｒｐの抵抗値が第１の閾値以下ではないか、第２の補助接地極Ｃの接地抵抗Ｒｃの抵抗値が第２の閾値以下ではないかの少なくともいずれかであり、かつ、第１の補助接地極Ｐの接地抵抗Ｒｐの抵抗値および第２の補助接地極Ｃの接地抵抗Ｒｃの抵抗値が、共に１００Ω±３％の範囲内ではない場合、０Ωとならないように、例えば、「０．０１Ω」や「０．００１Ω」など、接地抵抗計７１の分解能に応じた桁数で最小値を制限して、被測定接地体接地抵抗算出部５５により算出された被測定接地体Ｅの接地抵抗Ｒｅの抵抗値の、表示部１６への表示を制御する。
【００８５】
接地抵抗計の国際規格ＩＥＣ６１５５７−５で、製品の仕様を満たしているか否かの試験は、第１の補助接地極Ｐの接地抵抗Ｒｐの抵抗値および第２の補助接地極Ｃの接地抵抗Ｒｃの抵抗値が、１００Ω±３％の範囲内であるという条件において実行されるようにきめられている。よって、製品の仕様を満たしているか否かの試験において故障であると誤認識されないように、接地抵抗計７１においては、第１の補助接地極Ｐの接地抵抗Ｒｐの抵抗値および第２の補助接地極Ｃの接地抵抗Ｒｃの抵抗値の少なくともいずれか一方が１００Ω±３％の範囲内である場合、被測定接地体接地抵抗算出部５５により算出された被測定接地体Ｅの接地抵抗Ｒｅの抵抗値を、その最小値を制限することなく、表示部１６へ表示させる。換言すれば、接地抵抗計７１は、第１の補助接地極Ｐの接地抵抗Ｒｐの抵抗値および第２の補助接地極Ｃの接地抵抗Ｒｃの抵抗値の少なくともいずれか一方が１００Ω±３％の範囲内である場合、「０．００Ω」が測定結果であれば、その測定値を、表示部１６へ、そのまま表示させる。
【００８６】
次に、図６のフローチャートを参照して、接地抵抗計７１が実行する接地抵抗測定処理２について説明する。
【００８７】
接地抵抗測定処理２は、接地抵抗計７１のユーザにより、第１の補助接地極Ｐおよび第２の補助接地極Ｃが大地の所定の位置に打ち込まれて、接続端子３１には、第１の補助接地極Ｐが接続され、接続端子３２には、第２の補助接地極Ｃが接続され、接続端子３３には、被測定接地体Ｅが接続された状態で実行されるか、または、接地抵抗計７１の動作チェックや校正のために、接続端子３１、接続端子３２、および、接続端子３３が短絡された状態において実行されるか、または、製品の仕様を満たしているか否かの試験のために、第１の補助接地極Ｐの接地抵抗Ｒｐの抵抗値および第２の補助接地極Ｃの接地抵抗Ｒｃの抵抗値が、１００Ω±３％の範囲内であるという条件において実行される。
【００８８】
ステップＳ２１〜ステップＳ２７において、図３を用いて説明した、接地抵抗測定処理１のステップＳ１〜ステップＳ７と同様の処理が実行される。
【００８９】
すなわち、ステップＳ２１において、制御部８１は、被測定接地体Ｅ−第１の補助接地極Ｐ間に交流電圧Ｖ１を印加して、合成接地抵抗Ｒｅｐの抵抗値を算出する。
【００９０】
ステップＳ２２において、制御部８１は、被測定接地体Ｅ−第２の補助接地極Ｃ間に交流電圧Ｖ１を印加して、合成接地抵抗Ｒｅｃの抵抗値を算出する。
【００９１】
ステップＳ２３において、制御部８１は、第１の補助接地極Ｐ−第２の補助接地極Ｃ間に交流電圧Ｖ１を印加して、合成接地抵抗Ｒｐｃの抵抗値を算出する。
【００９２】
ステップＳ２４において、制御部８１は、接地抵抗Ｒｐの抵抗値および接地抵抗Ｒｃの抵抗値を算出する。
【００９３】
ステップＳ２５において、制御部８１は、操作入力部１７から供給される、ユーザの操作入力を示す信号に基づいて、測定開始が指示されたか否かを判断する。ステップＳ２５において、測定開始が指示されていないと判断された場合、測定開始が指示されたと判断されるまで、ステップＳ２５の処理が繰り返される。
【００９４】
ステップＳ２５において、測定開始が指示されたと判断された場合、ステップＳ２６において、制御部８１は、被測定接地体Ｅ−第２の補助接地極Ｃ間に交流電圧Ｖ１を印加して、電流測定部１２は、第２の補助接地極Ｃに注入される交流電流Ｉ１の電流値を測定し、電圧測定部１３は、被測定接地体Ｅ−第１の補助接地極Ｐ間の電圧値を測定する。
【００９５】
ステップＳ２７において、制御部８１の被測定接地体接地抵抗算出部５５は、ステップＳ６の処理により得られた第２の補助接地極Ｃに注入される電流値と、被測定接地体Ｅ−第１の補助接地極Ｐ間の電圧値Ｖｅｐを用いて、３電極法により、被測定接地体Ｅの接地抵抗Ｒｅの抵抗値を求め、表示制御部９２に供給する。
【００９６】
そして、ステップＳ２８において、制御部８１の比較部９１は、ステップＳ４の処理により得られた接地抵抗Ｒｐの抵抗値および接地抵抗Ｒｃの抵抗値が、ともに、記憶部１５に記憶されている所定の値以下であったか否かを判断し、判断結果を、表示制御部９２に供給する。記憶部１５に記憶されている所定の値、すなわち、上述した第１の閾値および第２の閾値は、同一の値であっても異なる値であってもよく、その値は、例えば、１０Ω程度であるものとすると好適である。
【００９７】
ステップＳ２８において、接地抵抗Ｒｐの抵抗値および接地抵抗Ｒｃの抵抗値のうちの少なくともいずれかが、記憶部１５に記憶されている所定の値以下ではなかったと判断された場合、ステップＳ２９において、制御部８１の表示制御部９２は、接地抵抗Ｒｐの抵抗値および接地抵抗Ｒｃの抵抗値のうちの少なくともいずれかが、１００Ω±３％の範囲内であるか否かを判断する。
【００９８】
ステップＳ２９において、接地抵抗Ｒｐの抵抗値および接地抵抗Ｒｃの抵抗値のうちの少なくともいずれかが、１００Ω±３％の範囲内であると判断された場合、処理は、ステップＳ３１に進む。
【００９９】
ステップＳ２９において、接地抵抗Ｒｐの抵抗値および接地抵抗Ｒｃの抵抗値のうちの両方が、１００Ω±３％の範囲内ではないと判断された場合、この測定は実測定であると推定されるので、ステップＳ３０において、制御部８１の表示制御部９２は、表示部１６を制御して、被測定接地体Ｅの接地抵抗Ｒｅの抵抗値を、最小値を制限して表示させ、処理が終了される。
【０１００】
具体的には、制御部８１の表示制御部９２は、演算の結果得られた被測定接地体Ｅの接地抵抗Ｒｅの抵抗値が「０Ω」となる場合であっても、表示部１６を制御して、その分解能に応じて、例えば、「０．０１Ω」や「０．００１Ω」などの値を表示させる。
【０１０１】
ステップＳ２８において、接地抵抗Ｒｐの抵抗値および接地抵抗Ｒｃの抵抗値が、ともに、記憶部１５に記憶されている所定の値以下であったと判断された場合、この測定は、接地抵抗計７１の動作チェックや校正であると推定される。また、ステップＳ２９において、接地抵抗Ｒｐの抵抗値および接地抵抗Ｒｃの抵抗値のうちの少なくともいずれかが、１００Ω±３％の範囲内であると判断された場合、製品の仕様を満たしているか否かの試験が行われている可能性がある。したがって、ステップＳ３１において、制御部８１の表示制御部９２は、表示部１６を制御して、被測定接地体Ｅの接地抵抗Ｒｅの抵抗値をそのまま表示させ、処理が終了される。
【０１０２】
実際の被測定接地体Ｅの接地抵抗Ｒｅの抵抗値の測定時においては、第１の補助接地抵抗Ｐの接地抵抗Ｒｐの値、または、第２の接地抵抗Ｃの接地抵抗Ｒｃの値は、ある程度の値をとることが想定される。それに対して、接地抵抗計７１の校正や動作チェックなどにおいては、接続端子３１，３２、および３３が短絡されるので、第１の補助接地抵抗Ｐの接地抵抗Ｒｐの値、または、第２の接地抵抗Ｃの接地抵抗Ｒｃの値は、０Ωに近い値となることが想定される。また、接地抵抗Ｒｐの抵抗値および接地抵抗Ｒｃの抵抗値のうちの少なくともいずれかが、１００Ω±３％の範囲内である場合、製品の仕様を満たしているか否かの試験が行われている可能性がある。
【０１０３】
したがって、このような処理を実行することにより、実際の被測定接地体Ｅの接地抵抗Ｒｅの抵抗値の測定時に、接地抵抗計の確度により「０．００Ω」や「０．０００Ω」などの値が表示部１６に表示されることを防止することができるので、ユーザは、被測定接地体Ｅの接地抵抗Ｒｅの抵抗値の測定結果を報告できないような事態に陥ることがなくなる。そして、接地抵抗計７１の校正や動作チェックなどにおいて、接続端子３１，３２、および３３が短絡された場合や、接地抵抗Ｒｐの抵抗値および接地抵抗Ｒｃの抵抗値が１００Ω±３％の範囲内において、製品の仕様を満たしているか否かの試験が行われる場合においては、「０．００Ω」や「０．０００Ω」などの値が表示部１６に表示可能となるので、故障と判断されることはない。
【０１０４】
また、このような処理により、第１の補助接地極の接地抵抗値、および、第２の補助接地極の接地抵抗値を、合成接地抵抗Ｒｅｐ（＝Ｒｅ＋Ｒｐ）および合成接地抵抗Ｒｅｃ（＝Ｒｅ＋Ｒｃ）を用いずに、より正確に求めることが可能となる。
【０１０５】
なお、ここでは、ステップＳ２８において、接地抵抗Ｒｐの抵抗値および接地抵抗Ｒｃの抵抗値のうちの少なくともいずれかが、記憶部１５に記憶されている所定の値以下であるか否かが判断され、ステップＳ２９において、接地抵抗Ｒｐの抵抗値および接地抵抗Ｒｃの抵抗値のうちの少なくともいずれかが、１００Ω±３％の範囲内であるか否かが判断されるものとして説明したが、先に、接地抵抗Ｒｐの抵抗値および接地抵抗Ｒｃの抵抗値のうちの少なくともいずれかが、１００Ω±３％の範囲内であるか否かを判断したのち、接地抵抗Ｒｐの抵抗値および接地抵抗Ｒｃの抵抗値のうちの少なくともいずれかが、記憶部１５に記憶されている所定の値以下であるか否かを判断するものとしてもよいことは言うまでもない。
【０１０６】
また、さらに、接地抵抗Ｒｐの抵抗値および接地抵抗Ｒｃの抵抗値のうちの少なくともいずれかが、記憶部１５に記憶されている所定の値以下であるか否かの判断を行わずに、接地抵抗Ｒｐの抵抗値および接地抵抗Ｒｃの抵抗値のうちの少なくともいずれかが、１００Ω±３％の範囲内であるか否かの判断結果のみに応じて、接地抵抗Ｒｐの抵抗値および接地抵抗Ｒｃの抵抗値のうちの少なくともいずれかが、１００Ω±３％の範囲内である場合以外は、被測定接地体Ｅの接地抵抗Ｒｅの抵抗値を、最小値を制限して表示させるものとしてもよい。
【０１０７】
また、ここでは、所定の範囲の一例として、１００Ω±３％を用いて説明したが、被測定接地体Ｅの接地抵抗Ｒｅの抵抗値を、最小値を制限して表示させるか否かの判断を行うための所定の範囲はこの限りではなく、他のいかなる値の範囲を用いてもよいことは言うまでもない。
【０１０８】
以上のように、交流電圧を生成し、生成された交流電圧により所定の回路に流れる電流の電流値を測定するとともに、生成された交流電圧により所定の回路に印加される電圧の電圧値を測定し、第１の接続端子、第２の接続端子、および、第３の接続端子が接続される回路を切り替えて、所定の回路において、測定された電流値、および、測定された電圧値に基づいて、第１の補助接地極の接地抵抗値、および、第２の補助接地極の接地抵抗値が算出される。そして、所定の回路において、測定された電流値、および、測定された電圧値に基づいて、被測定接地体の接地抵抗値が算出される。そして、第１の補助接地極の接地抵抗値と第２の補助接地極の接地抵抗値が所定の値と比較され、その比較結果に基づいて、算出された被測定接地体の接地抵抗値の表示が制御されるか、または、最小値が制限されて、被測定接地体の接地抵抗値の表示が制御されるようにしたので、補助接地極の状態に基づいて、必要に応じて、測定結果の最小値を制限することができる。
【０１０９】
また、第１の補助接地極の接地抵抗値が所定の第１の値と比較されるとともに、第２の補助接地極の接地抵抗値が所定の第２の値と比較され、その比較結果に基づいて、第１の補助接地極の接地抵抗値が所定の第１の値未満であり、かつ、第２の補助接地極の接地抵抗値が所定の第２の値未満である場合、算出された被測定接地体の接地抵抗値の表示が制御されるとともに、第１の補助接地極の接地抵抗値が所定の第１の値以上であるか、第２の補助接地極の接地抵抗値が所定の第２の値以上であるかの少なくともいずれかである場合、最小値が制限されて、算出された被測定接地体の接地抵抗値の表示が制御されるようにしたので、演算の結果得られた被測定接地体Ｅの接地抵抗Ｒｅの抵抗値が「０Ω」となる場合であっても、実際の被測定接地体Ｅの接地抵抗Ｒｅの抵抗値の測定時には、その分解能に応じて、最低値が制限された値、すなわち、例えば、「０．０１Ω」や「０．００１Ω」などの値が表示部１６に表示されるとともに、接続端子３１、接続端子３２、および、接続端子３３を短絡して、接地抵抗計７１が故障していないか否かを確認したり、校正を行う場合においては、「０．００Ω」や「０．０００Ω」などの値が、表示部１６に表示可能となる。
【０１１０】
また、第１の補助接地極の接地抵抗値が所定の第１の値と比較されるとともに、第２の補助接地極の接地抵抗値が所定の第２の値と比較され、さらに、第１の補助接地極の接地抵抗値および第２の補助接地極の接地抵抗値が所定の範囲と比較され、比較結果に基づいて、第１の補助接地極の接地抵抗値が所定の第１の値未満であり、かつ、第２の補助接地極の接地抵抗値が所定の第２の値未満である場合、または、第１の補助接地極の接地抵抗値および第２の補助接地極の接地抵抗値の少なくともいずれかが所定の範囲内である場合、算出された被測定接地体の接地抵抗値の表示が制御されるとともに、第１の補助接地極の接地抵抗値が所定の第１の値以上であるか、第２の補助接地極の接地抵抗値が所定の第２の値以上であるかの少なくともいずれかであり、かつ、第１の算出手段により算出された第１の補助接地極の接地抵抗値および第２の補助接地極の接地抵抗値の両方が所定の範囲内ではない場合、最小値が制限されて、第２の算出手段により算出された被測定接地体の接地抵抗値の表示が制御されるようにしたので、演算の結果得られた被測定接地体Ｅの接地抵抗Ｒｅの抵抗値が「０Ω」となる場合であっても、実際の被測定接地体Ｅの接地抵抗Ｒｅの抵抗値の測定時には、その分解能に応じて、最低値が制限された値、すなわち、例えば、「０．０１Ω」や「０．００１Ω」などの値が表示部１６に表示されるとともに、接続端子３１、接続端子３２、および、接続端子３３を短絡して、接地抵抗計７１が故障していないか否かを確認したり、校正を行う場合や、接地抵抗Ｒｐの抵抗値および接地抵抗Ｒｃの抵抗値が、例えば、１００Ω±３％などの試験条件に定められた所定の範囲内において、製品の仕様を満たしているか否かの試験が行われる場合においては、「０．００Ω」や「０．０００Ω」などの値が、表示部１６に表示可能となる。
【０１１１】
また、第１の補助接地極の接地抵抗値および第２の補助接地極の接地抵抗値が所定の範囲と比較され、第１の補助接地極の接地抵抗値および第２の補助接地極の接地抵抗値の少なくともいずれかが所定の範囲内である場合、算出された被測定接地体の接地抵抗値の表示が制御されるとともに、第１の算出手段により算出された第１の補助接地極の接地抵抗値および第２の補助接地極の接地抵抗値の両方が所定の範囲内ではない場合、最小値が制限されて、第２の算出手段により算出された被測定接地体の接地抵抗値の表示が制御されるようにした場合、演算の結果得られた被測定接地体Ｅの接地抵抗Ｒｅの抵抗値が「０Ω」となる場合であっても、実際の被測定接地体Ｅの接地抵抗Ｒｅの抵抗値の測定時には、その分解能に応じて、最低値が制限された値、すなわち、例えば、「０．０１Ω」や「０．００１Ω」などの値が表示部１６に表示されるとともに、接地抵抗Ｒｐの抵抗値および接地抵抗Ｒｃの抵抗値が、例えば、１００Ω±３％などの試験条件に定められた所定の範囲内において、製品の仕様を満たしているか否かの試験が行われる場合においては、「０．００Ω」や「０．０００Ω」などの値が、表示部１６に表示可能となる。
【０１１２】
したがって、接続端子３１、接続端子３２、および、接続端子３３を短絡して、接地抵抗計７１が故障していないか否かを確認したり、校正を行う場合や、製品の仕様を満たしているか否かの試験が行われる場合において、故障であると誤認識されることなく、実際の被測定接地体Ｅの接地抵抗Ｒｅの抵抗値の測定時に、接地抵抗計の確度により「０．００Ω」や「０．０００Ω」などの値が表示部１６に表示されることを防止することができるので、ユーザは、被測定接地体Ｅの接地抵抗Ｒｅの抵抗値の測定結果を報告できないような事態に陥ることがなくなる。
【０１１３】
また、第１の補助接地極の接地抵抗値、および、第２の補助接地極の接地抵抗値が算出される場合と、被測定接地体の接地抵抗値が算出される場合とにおいて、第１の接続端子、第２の接続端子、および、第３の接続端子が接続される回路が異なるものとなるように、スイッチを制御するようにしたので、第１の補助接地極の接地抵抗値、および、第２の補助接地極の接地抵抗値を、合成接地抵抗Ｒｅｐ（＝Ｒｅ＋Ｒｐ）および合成接地抵抗Ｒｅｃ（＝Ｒｅ＋Ｒｃ）を用いずに、より正確に求めることが可能となる。
【０１１４】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１１５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１６】
また、本発明の実施の形態は、上述した実施の形態に限定されるものではなく、本発明の要旨を逸脱しない範囲において種々の変更が可能である。
【符号の説明】
【０１１７】
１…接地抵抗計、
１１…信号生成部（信号生成手段）、
１２…電流測定部（電流測定手段）、
１３…電圧測定部（電圧測定手段）、
１４…制御部、
１５…記憶部、
１６…表示部、
１７…操作入力部、
１８…スイッチング処理部（スイッチング手段）、
３１，３２，３３…接続端子、
４１，４２，４３…スイッチ、
５１…電圧印加制御部、
５２…スイッチング制御部（スイッチング制御手段）、
５３…補助接地極接地抵抗算出部（第１の算出手段）、
５４…比較部（比較手段）、
５５…被測定接地体接地抵抗算出部（第２の算出手段）、
５６…表示制御部（表示制御手段）
７１…接地抵抗計、
８１…制御部、
９１…比較部（比較手段）、
９２…表示制御部（表示制御手段）
【図１】
2014115142.tif 000003
【図２】
2014115142.tif 000004
【図３】
2014115142.tif 000005
【図４】
2014115142.tif 000006
【図５】
2014115142.tif 000007
【図６】
2014115142.tif 000008